【事件の表示】
　特許第２９５３５２９号「新規化粧料」の請求項１、３、４に係る特許に対する特許異議の申立てについて、次のとおり決定する。
【結　論】
　訂正を認める。
　本件特許異議の申立てを却下する。
【理　由】
　
１．手続の経緯
　
　本件特許第２９５３５２９号発明は、平成２年５月２５日に特許出願され、平成１１年７月１６日にその特許の設定登録がなされ、その後、鐘紡株式会社より特許異議申立がなされ、平成１２年５月２９日付けで第１回の取消理由通知がなされ、平成１２年１１月２８日付けで第２回の取消理由通知がなされ、その指定期間内である平成１２年１２月１日に訂正請求がなされたものである（平成１２年１１月８日付けの訂正請求書は平成１２年１２月１日に取り下げられた。）。
　
２．訂正の適否についての判断
　
（１）訂正の内容
・訂正事項ａ
　特許第２９５３５２９号明細書の特許請求の範囲に
「【請求項１】抗ケラチン抗体及び又はその修飾抗体を含有することを特徴とする化粧料。
【請求項２】抗体が鶏卵抗体である請求項１記載の化粧料。
【請求項３】ケラチンが表皮細胞のケラチンである請求項１又は２記載の化粧料。
【請求項４】ローション類、乳液類、クリーム類、パック類、浴用剤、洗顔剤、浴用洗剤、毛髪剤、又は洗髪剤である請求項１〜３のいずれか１項に記載の化粧料。」
とあるのを
「１．皮膚ケラチンを抗原として得られる抗皮膚ケラチン鶏卵抗体及び／又はその修飾抗体を含有することを特徴とする化粧料。
２．ローション類、乳液類、クリーム類、パック類、浴用剤、洗顔剤、浴用洗剤、毛髪剤、又は洗髪剤である請求項１に記載の化粧料。」
と訂正し、
・訂正事項ｂ
　特許第２９５３５２９号明細書の第３頁第４〜５行（特許第２９５３５２９号公報第２頁第３欄第１２〜１４行）に
「抗ケラチン抗体及び／又はその修飾抗体を含有することを特徴とする。」
とあるのを
「皮膚ケラチンを抗原として得られる抗皮膚ケラチン鶏卵抗体及び／又はその修飾抗体を含有することを特徴とする。」
と訂正するものである。
　
（２）訂正の目的の適否、新規事項の有無及び拡張・変更の存否
　訂正事項ａは、請求項１，３を削除し請求項２，４を繰り上げて請求項１，２とし、併せて、繰り上げてなる請求項１の抗原であるケラチンを皮膚由来のものに限定するとともに、繰り上げてなる請求項２を上記繰り上げてなる請求項１のみの引用の形式とするものであるから、特許請求の範囲の減縮に該当する。そして、皮膚ケラチンについては、願書に最初に添付した明細書（以下当初明細書という）中に、「皮膚表皮は・・・で一番外側にあるのが皮脂膜及び角質層で・・・。また、角質層はケラチンという硬質タンパク質で」（当初明細書第４頁第２〜１０行）、「ここで述べる抗ケラチン抗体とは表皮細胞のケラチンを抗原として得られた該抗原に特異的に結合する抗体である。」（当初明細書第４頁第１６〜１８行）等と記載され、また「ヒト皮膚ケラチン0.5mgを含む1ml生理食塩溶液と・・・を・・・鶏の胸筋に・・・注射し、初回免疫を行った後、」（当初明細書第９頁第１７行〜第１０頁第１行）とも記載されていることからみて、当初明細書に記載した事項の範囲内のものである。
　訂正事項ｂは、訂正事項ａに伴って、対応する発明の詳細な説明の記載を訂正するものであり、明りょうでない記載の釈明に該当する。そして、当初明細書に記載した事項の範囲内のものである。
　そして、上記訂正事項ａ，ｂのいずれの訂正も、実質上特許請求の範囲を拡張し、又は変更するものでもない。
　
（３）独立特許要件の判断
　訂正請求書の請求項１，２に係る発明は、その特許請求の範囲の１，２に記載されたとおりの以下のものであり、これらは特許出願の際独立して特許を受けることができるものである。
「１．皮膚ケラチンを抗原として得られる抗皮膚ケラチン鶏卵抗体及び／又はその修飾抗体を含有することを特徴とする化粧料。
２．ローション類、乳液類、クリーム類、パック類、浴用剤、洗顔剤、浴用洗剤、毛髪剤、又は洗髪剤である請求項１に記載の化粧料。」
　
（４）むすび
　以上のとおりであるから、上記訂正は、特許法第１２０条の４第２項及び同条第３項で準用する同法第１２６条第２項から第４項の規定に適合するので、当該訂正を認める。
　
３．特許異議申立についての判断
　
　請求項１，３，４に係る発明は、訂正の結果実質的に削除され、特許異議の申立ての対象が存在しない。
　よって、結論のとおり決定する。
【異議決定日】
平成１２年１２月２０日（２０００．１２．２０）
【訂正の要旨】
・訂正事項ａ
　特許請求の範囲の減縮を目的として、特許第２９５３５２９号明細書の特許請求の範囲に
「【請求項１】抗ケラチン抗体及び又はその修飾抗体を含有することを特徴とする化粧料。
　【請求項２】抗体が鶏卵抗体である請求項１記載の化粧料。
　【請求項３】ケラチンが表皮細胞のケラチンである請求項１又は２記載の化粧料。
　【請求項４】ローション類、乳液類、クリーム類、パック類、浴用剤、洗顔剤、浴用洗剤、毛髪剤、又は洗髪剤である請求項１〜３のいずれか１項に記載の化粧料。」
とあるのを
「１．皮膚ケラチンを抗原として得られる抗皮膚ケラチン鶏卵抗体及び／又はその修飾抗体を含有することを特徴とする化粧料。
２．ローション類、乳液類、クリーム類、パック類、浴用剤、洗顔剤、浴用洗剤、毛髪剤、又は洗髪剤である請求項１に記載の化粧料。」
と訂正し、
・訂正事項ｂ
　明りょうでない記載の釈明を目的として、特許第２９５３５２９号明細書の第３頁第４〜５行（特許第２９５３５２９号公報第２頁第３欄第１２〜１４行）に
「抗ケラチン抗体及び／又はその修飾抗体を含有することを特徴とする。」
とあるのを
「皮膚ケラチンを抗原として得られる抗皮膚ケラチン鶏卵抗体及び／又はその修飾抗体を含有することを特徴とする。」
と訂正するものである。
（５４）【発明の名称】
新規化粧料
（５７）【特許請求の範囲】
　１．皮膚ケラチン
を抗原として得られる抗皮膚ケラチン鶏卵
　２．ローション類、乳液類、クリーム類、パック類、浴用剤、洗顔剤、浴用洗剤、毛髪剤、又は洗髪剤である請求項
１
【発明の詳細な説明】
〔産業上の利用分野〕
　本発明はバイオ系の新規な化粧料に関する。
〔従来の技術〕
　従来の化粧品では、表皮の汚れが落ちにくい、細菌が付着したままで除去しにくい、必要な水分や油分が過剰喪失となる、表皮における持続性が低い、すぐ化粧崩れが起こる、何度も繰返し塗布することが必要である。べたつき・ほてり感等の使用感が悪い、変色・変臭するなどの課題が挙げられている。また、機能性成分を配合させたいときに、皮膚細胞への浸透性、到達性の点から機能性成分が過剰量配合される。
　素肌の汚れは、皮膚の生理機能や新陳代謝の低下につながり、老化を早め、皮膚を刺激し、炎症や細菌感染、アレルギーの原因ともなり、荒れ肌や潤い、張り、艶のない肌の原因ともなる。このため、皮脂膜に付着した細菌や化学物質の除去、老化した角質や脂肪・タンパク性の汚れの除去、失われた水分や栄養分の補給、更に皮膚、つめ、髪に色彩や香りなどを添加し、より美しさを追求することを目的としたタンパク質、多糖、酵素等の化粧料素材の開発が行われてきた。
〔発明が解決しようとする課題〕
　しかしながら、これら従来の化粧料中にはコラーゲン、ヒアルロン酸、コンドロイチン硫酸、酵素などのほかに抗体を用いたものは知られていない。
　抗体は、抗原を認識して特異的に結合する機能、抗原を除去する系を活性化する機能などの生理機能はよく知られているが、そのタンパクとしての特性を生かした化粧料は見当らない。また、修飾抗体自身又はこれらを含有した化粧料も知られていない。
〔課題を解決するための手段〕
　本発明を概説すれば、本発明は化粧料に関し、皮膚ケラチン
を抗原として得られる抗皮膚ケラチン鶏卵
　本発明者らは上記の問題点について、特異的な性質をもつ抗体及び／又は該抗体と色素、香料、保湿剤、防臭剤、除菌剤、静菌剤、抗酸化剤、界面活性剤、酵素などの機能性分子との複合体とすることにより、抗体自身がもつ保湿性を有効に与えられ、更には上記機能性添加物を皮膚に有効に運搬結合させる可能性があるものと考えた。
　以上のような考えに基づいて鋭意研究を行った結果、抗体が皮膚における目的とする物質に結合し保湿性を発揮すること、更には上記機能性分子により修飾された抗体が表皮及び目的とする物質に結合し機能を発揮することを見出し、本発明を完成した。
　以下、本発明の１例として抗ケラチン抗体で更に具体的に説明する。
　皮膚表皮はわずか０．２ｍｍの厚さで４〜５層で一番外側にあるのが皮脂膜及び角質層で水分の蒸発防止、雑菌の進入阻止、外的刺激の防御、汚れの包容など色々な役割を果たしている。この皮脂膜は表皮上で汗からの水分と皮脂の油が乳化してでき０．５μｍの超薄膜で角質層の保護と同時に表皮の汚れを抱え込んでしまう働きもある。また、角質層はケラチンという硬質タンパク質で毛、つめなどにも存在している。これらのケラチンは、架橋構造をもつ分子量４万から６万８千の高分子タンパク質で水に不溶性である安定なタンパク質である。皮膚の美肌に大きく関係してるのが、この皮脂膜及び角質層である。
　ここで述べる抗ケラチン抗体とは表皮細胞のケラチンを抗原として得られた該抗原に特異的に結合する抗体である。通常はウサギ、ヤギ、ヒツジなどの動物に過免疫すればその血清より該抗原に対する特異的抗体が得られる。また、該抗原をめん鳥に過免疫すればめん鳥の産する卵より該抗原に特異性を示す鶏卵抗体が得られる。
　更には、該抗原に特異的な抗体産生細胞と骨髄腫細胞の融合細胞により得られる該抗原に特異的に結合するモノクローナル抗体でもよい。
　この中ではめん鳥を用いて、その鶏卵より特異的抗体を得る方法が経済的な見地及び感覚的な見地から望ましい。血清から、あるいは細胞培養から得られる特異的抗体よりも鶏卵から得られる特異的抗体を用いる方が実用的であるがこれによって本発明が限定されるものではない。
　本発明における修飾抗体に用いられる機能性化合物とは、皮膚の健全な生理機能を維持し、健全な美肌を保持、促進する化合物である。すなわち、皮膚成分であるヒアルロン酸、コラーゲン、コンドロイチン硫酸などの多糖が、またこれら皮膚成分の正常な産生を維持、促進するビタミン、アミノ酸などが、更には皮膚表面の雑菌からの汚染を防ぐため除菌剤、静菌剤などが、そして外部の刺激による皮膚の損傷、過敏反応を予防するための抗炎症剤、止血剤、抗アレルギー剤、紫外線遮断剤、メラニン沈着阻害剤などが、皮膚を滑らかにするための種々の酵素剤などが、保湿性を付与するための多糖類などが、皮膚に色彩を施すための色素、蛍光色素などがある。これら機能性化合物としては天然由来、更には食品由来のものが感覚的見地から望ましく、例えば、蛍光色素としては海藻から得られるフィコビリンが、静菌、静ウイルス剤、保湿剤としては海藻から得られるフコイダンが挙げられる。
　本発明における抗体の修飾方法としては共有結合、イオン結合などが挙げられ、従来の免疫学の領域で用いられてきた抗体タンパクの修飾方法が応用できるばかりでなく、生化学分野で広く用いられてるタンパク質及び糖、核酸、などの修飾方法が利用できる。抗体及び／又は修飾抗体自身又はこれらを含有する物質は種々の形態で皮膚、つめ、髪、体毛に施される。
　例えば、抗ケラチン抗体含有卵黄は皮膚等に直接施される組成物の製造に一般的に用いられる担体と混合し、皮膚等に施すべき組成物を生成することができる。このような担体の適当なものとして、ゲル、液体スプレー、クリーム、ローション、オイル、パウダー、軟膏、固形状スティックアプリケーター、などを挙げることができる。
　例えば、抗体として抗ケラチン抗体含有卵黄を用いた場合には、通常、製剤は化粧品担体中に約１−２５重量部の卵黄を含む。本発明における抗体及び／又は修飾抗体の配合量は、好ましくは０．０００１〜５重量部である。
　０．０００１重量部より少ない場合は、化粧料における該抗体及び／又は修飾抗体の働らきが十分でないことがあり、また５重量部を越えても、その配合量に見合う効果が期待できない場合もある。しかしながら、異なる組成物中の抗体及び／又は修飾抗体の濃度範囲は、目的の効果を与える量に応じて、それぞれの製剤について設定しなければならない。
　本発明の新規な化粧料は、例えばローション類、乳液類、クリーム類、パック類、浴用剤、洗顔剤、浴用洗剤、毛髪剤、洗髪剤等に適応することができ、例えば、スキンクリーム、スキンミルク、クレンジングクリーム、クレンジングミルク、コールドクリーム、クリームソープ、メイクアップベース、スキンローション、パック、カラミンローション、ミルキーローション、ハンドクリーム、エッセンスパウダー、ホワイトニングパウダー、パウダーソープ、固型石けん、透明石けん、リップクリーム、口紅、栄養エッセンス、クリミーファンデーション、フェースパウダー、パウダーアイシャドウ、パウダーファンデーション、ネイルリムバー、ヘアトニック、ヘアーリキッド、ヘアークリーム、ヘアートリートメント、スカルプトリートメント、シャンプー、リンス、ヘアスプレー、サンオイル、サンスクリーン、シェービングホーム、シェービングクリーム、ベビーオイル等に配合することができる。
　また、本発明の化粧料には色素、香料、防腐剤、界面活性剤、顔料、抗酸化剤等を本発明の目的を達成する範囲内で適宜配合することができる。
　本発明の化粧料によれば皮膚に対しては、肌荒れ改善、角質改善、美肌効果等により、滑らかさ等が付与し、毛髪に対しては、優れた光沢を与え、滑らかな感触、髪の仕上り効果等を付与することができる。
〔実施例〕
　次に実施例によって本発明を更に詳細に説明する。なお、本発明はこれにより限定されるものではない。以下各例において部及び％は重量基準である。
実施例１　　抗ケラチン抗体含有の卵黄の製造
　ヒト皮膚由来ケラチン０．５ｍｇを含む１ｍｌ生理食塩溶液とＦＣＳ（フロイント完全アジュバント）１ｍｌを１：１で混合しエマルジョンとした。得られたエマルジョンを鶏の胸筋に１ｍｌずつ注射し、初回免疫を行った後、８週間後に上記と同様に２回目の免疫を行い、その後１ヶ月後より鶏が生産する卵を３週間集卵し、卵黄を収得した。
実施例２　　抗体の調製
　上記卵黄５００ｍｌと、これと同量のＰＢＳ（リン酸緩衝生理食塩水、ｐＨ７．４）を混合し得られた混合液に、更に４．４％となるようにポリエチレングリコール６０００を加え、３０分間室温でかくはんし、４℃、６０００×ｇ、３０分間遠心分離し、上清を得る。この上清を、１／１０ＰＢＳで平衡化したフェニルセファロース（ファルマシア社製）カラムに通し、吸着画分を蒸留水で溶出し、最初のピークを分取し精製卵黄抗体（１００ｍｇ）を得た。
（１）　以下の成分から化粧水を調製した。
　ケラチン抗体　　　　　　　　　０．１　部
　エタノール　　　　　　　　　　８．０　部
　１，３−ブチレングリコール　　２．０　部
　パラオキシ安息香酸メチル　　　０．１２部
　精製水　　　　　　　　　　　　　残余
（２）（１）で得られた化粧水と、ケラチン抗体を配合しない（精製水置換）で調製した、対照用化粧水とについて、それらを用いて人体パネルで、荒肌改善効果試験、角質改善効果試験、日焼け後皮膚改善効果試験を行った。結果を表１から３までに示す。
（肌荒れ改善効果試験）
　下脚に荒れ肌を有する中高年被験者２０名を対象として４週間連続塗布効果を調べた。被験者の左側下脚試験部位に一日１回約１ｇの試料を塗布し、試験開始前及び終了後の皮膚の状態を下記の判定基準により判定した。右側下脚は試料を塗布せず対照とした。
＊　皮膚乾燥度の判定基準
　　評価点：　　−　　正常
　　　　　　　　±　　やや乾燥、落屑なし
　　　　　　　　＋　　乾燥、落屑軽度
　　　　　　　＋＋　　乾燥、落屑中程度
　　　　　　＋＋＋　　乾燥、落屑顕著
　試験前後の試験部位と対照部位の判定結果を比較し、皮膚乾燥度が２段階改善された場合
（例えば＋→−、＋＋→±）を有効、１段階改善された場合をやや有効とし、各被験者の人数で示した。
（角質改善効果試験）
　荒肌改善効果試験開始前、及び試験終了後の被験者皮膚にメンディングテープを接着し、これをはく離したときテープに付着した角質細胞の状態を走査型電子顕微鏡によって詳細に調べた。下記の基準によって皮膚角質抗はく離性を解析し、角質改善効果を求めた。
＊　角質改善効果（角質抗はく離性増大）の判定基準
　　評価点：１．スケールを認めず
　　　　　　２．小スケール点在
　　　　　　３．小〜中スケール顕著
　　　　　　４．大スケール顕著
　評価は、４週間連続塗布後の試験部位の評価と対照点のそれとの差が２点以上の場合を有効、１点の場合をやや有効、０点の場合を無効とした。判定結果は、有効、やや有効となった被験者の人数で示した。
（日焼け後皮膚改善効果試験）
　太陽光に６時間（１日３時間で２日間）照射された被験者２５名の前腕屈側部左右皮膚に照射２日目より前記実施例１−（１）で得た化粧水と、抗体を配合していない対照用化粧水とを１日２回左右各々に１０日間塗布して肌荒れ改善効果を調べた。
　日焼け後の肌荒れ改善状態を１０日目に角質改善効果を同様の判定基準に従って評価した。
　表−１　肌荒れ改善効果結果
　表−２　角質改善効果結果
　表−３　日焼け後肌荒れ改善効果結果
実施例３　　蛍光修飾抗体の作製
　フィコビリンタンパクを実施例２で調製した卵黄抗体にＳＰＤＰ法により結合させた。すなわち、フィコビリンタンパク１μｍｏｌを０．１ｍＮａＣｌを含む０．１Ｍリン酸ナトリウム緩衝液（ｐＨ７．５）２ｍｌに溶かし、２０ｍＭ　Ｎ−スクシンイミジル３−（２−ピリジルジチオ）プロピオネート（ＳＰＤＰ）エタノール溶液０．１ｍｌを加え、室温３０分放置したセファデックスＧ−２５（ファルマシア社製）でゲルろ過し、ＳＰＤＰ化フィコビリンタンパクを得た。次に抗体１μｍｏｌを、上記と同様にＳＰＤＰ化し、これにジチオスレイトールを終濃度５０ｍＭとなるように加え、３０分室温で放置しセファデックスＧ−２５でゲルろ過し、ＳＨ化抗体を得た。これと上記ＳＰＤＰ化フィコビリンタンパクを混合し、室温で１晩反応させウルトロゲルＡｃＡ２２（ＬＫＢ社製）でゲルろ過し、最初のピークを蛍光色素修飾抗体として分取した。
（色彩塗布効果試験）
　実施例３で得られた蛍光標識抗体を、混合物に対し、フィコビリンタンパクとして１％含まれるようにタルクと混合した。フィコビリンタンパク１ｍｇ相当の蛍光標識抗体を含む０．１ｇのサンプルを１０人のパネラーの左腕に施した。一方対照として抗体を結合させていないフィコビリンタンパクのみを同量含むタルク製剤を、同一のパネラーの右腕に同量を施した。１２時間後５４５ｎｍの励起波長を左右の腕に当て蛍光の強さを肉眼で判定した結果１０人全員において抗体と結合したフィコビリンタンパクを施した左腕の方が強い蛍光を発していた。
　この結果は、抗ケラチン抗体に蛍光物質を結合し皮膚に塗布することにより、色彩塗布効果が上昇しかつこの効果が持続性を持つことを示している。
実施例４　　多糖修飾抗体の調製
　フコイダンを過ヨウ素酸化法により抗ケラチン抗体を結合させた。
　フコイダン１０ｍｇを１ｍｌの蒸留水に溶かし、０．１Ｍ過ヨウ素酸ナトリウムを０．２ｍｌ加え、室温２０分反応し、１ｍＭ酢酸ナトリウム緩衝液（ｐＨ４）に対し１晩透析した。これに０．２Ｍ炭酸ナトリウム緩衝液（ｐＨ９．５）０．０２ｍｌを加えてｐＨ９〜９．５にすると同時に、抗体１０ｍｇを加え、室温２時間反応させた。これに水素化ホウ素ナトリウム（４ｍｇ／ｍｌ）を０．１ｍｌ加え４℃２時間反応させウルトロゲルＡｃＡ２２でゲルろ過し、その最初のピークを多糖修飾抗体として分取した。
（１）　以下の成分から乳液を調製した。
　流動パラフィン　　　　　　　　２３．０部
　ミリスチン酸イソプロピル　　　　５．０部
　ワセリン　　　　　　　　　　　　６．０部
　ミツロウ　　　　　　　　　　　　５．０部
　ステアリン酸　　　　　　　　　　２．０部
　ベヘニルアルコール　　　　　　　１．０部
　モノステアリン酸ソルビタン　　　３．０部
　ポリオキシエチレン（２０）
　　モノステアリン酸ソルビタン　　３．０部
　１，３−ブチレングリコール　　　３．０部
　パラベン　　　　　　　　　　　　０．３部
　フコイダン修飾ケラチン抗体　　　０．１部
　香料　　　　　　　　　　　　　　適量
　精製水　　　　　　　　　　　　　残余
　（１）で得た乳液とフコイダン修飾ケラチン抗体の代りにフコイダンを１％配合した乳液と、対照用乳液としてフコイダン修飾ケラチン抗体の代りに精製水を配合したものとで比較し、美肌効果試験を行った。
（美肌効果試験）
　荒れ肌、小じわ、乾燥肌等を訴える女子被験者（３５〜５５才）２０人に試料を１日朝夕２回、連続３ヵ月と不織布、その直後に下記の項目について評価した。
＊評価項目
皮膚の湿潤性：皮膚に潤いが生じたと答えた人数
べたつき感　：試料にべたつきを感じたと答えた人数
皮膚の平滑性：皮膚が滑らかになったと答えた人数
弾力性　　　：皮膚に張りが生じたと答えた人数
刺激性　　　：塗布時に刺激を感じたと答えた人数
かぶれ　　　：使用期間中肌がかぶれたと答えた人数
　結果を以下の表−４に示す。
　表−４　　美肌効果結果
実施例５　　クリーム
　流動パラフィン　　　　　　　　２３．０部
　ミリスチン酸イソプロピル　　　　５．０部
　ワセリン　　　　　　　　　　　　６．０部
　ミツロウ　　　　　　　　　　　　５．０部
　ステアリン酸　　　　　　　　　　２．０部
　ベヘニルアルコール　　　　　　　１．０部
　モノステアリン酸ソルビタン　　　３．０部
　ポリオキシエチレン（２０）
　　モノステアリン酸ソルビタン　　３．０部
　１，３−ブチレングリコール　　　３．０部
　パラベン　　　　　　　　　　　　０．３部
　抗ケラチン抗体　　　　　　　　　０．５部
　精製水　　　　　　　　　　　　　残余
実施例６　　パック
　ポリビニルアルコール　　　　　１５．０部
　（ケン化度８８％重合度２０００）
　ポリエチレングリコール　　　　　３．０部
　プロピレングリコール　　　　　　７．０部
　エタノール　　　　　　　　　　１０．０部
　メチルパラベン　　　　　　　　　０．１部
　フコイダン修飾抗ケラチン抗体　　１．０部
　香料　　　　　　　　　　　　　　適量
　精製水　　　　　　　　　　　　　残余
実施例７　　ヘアトニック
　プロピレングリコール　　　　　　３．０部
　パントテノールエチルエーテル　　１．０部
　塩酸ジフェンヒドラミン　　　　　０．１部
　サリチル酸　　　　　　　　　　　０．１部
　１−メントール　　　　　　　　　０．１部
　フコイダン修飾抗ケラチン抗体　　０．５部
　エタノール　　　　　　　　　　４０．０部
　香料　　　　　　　　　　　　　　適量
　精製水　　　　　　　　　　　　　残余
実施例８　リップトリートメント
　キャンデラロウ　　　　　　　　　９．０部
　固形パラフィン　　　　　　　　　８．０部
　ミツロウ　　　　　　　　　　　　５．０部
　カルナバロウ　　　　　　　　　　５．０部
　ラノリン　　　　　　　　　　　１１．０部
　ヒマシ油　　　　　　　　　　　　残余
　ミリスチン酸イソプロピル　　　１０．０部
　香料　　　　　　　　　　　　　　適量
　ムコ多糖修飾ケラチン抗体　　　　０．１部
実施例９　　ヘアリンス
　塩化ステアリルトリメチル
　　アンモニウム　　　　　　　　　４．５部
　ステアリン酸　　　　　　　　　　０．５部
　エタノール　　　　　　　　　　　１．０部
　モノステアリン酸　　　　　　　　１．０部
　ポリオキシエチレンオレイル
　　エーテル　　　　　　　　　　　３．５部
　１，３−ブチレングリコール　　　３．０部
　香料　　　　　　　　　　　　　　０．１部
　抗ケラチン抗体　　　　　　　　　０．２部
　精製水　　　　　　　　　　　　　残余
実施例１０　　浴用剤
　無水硫酸ナトリウム　　　　　　　６０．０部
　炭酸水素ナトリウム　　　　　　　８．０部
　塩化ナトリウム　　　　　　　　　７．４部
　無水チオ硫酸ナトリウム　　　　２３．０部
　燈皮エキス　　　　　　　　　　　０．５部
　川　エキス　　　　　　　　　　　０．５部
　抗ケラチン抗体　　　　　　　　　０．５部
　香料　　　　　　　　　　　　　　適量
　着色料　　　　　　　　　　　　　０．１部
〔発明の効果〕
　本発明により、機能性物質を有効に皮膚へ運搬し、かつ機能の持続性に優れ、量産性、安全性にも優れた新規化粧料が提供された。